(57)【要約】      （修正有）【課題】文献に穴を開けず、文献の完全性が維持され、かつ、文献の収納操作が容易であり、収納した文献が脱落することがなく、また、文献ファイルに外力が加えられても、文献が損傷を受けることがない文献ファイル構造を提供する。【解決手段】文献ファイル構造は、底板、第一蓋板、および、ストッパー、からなる。底板周辺の所定位置に、複数の第一穿孔を形成する。ストッパー周辺の所定位置にも、複数の第二穿孔を形成する。ロープが、第一穿孔と第二穿孔を通過して、ストッパーがロープの引く力を受けて、底板方向に接近する。また、底板一側は、可動の第一折板を延伸しており、第一折板の底板に相対する側辺に、第一蓋板を延伸する。これにより、文献をストッパーと底板の間に置いた後、第一蓋板をストッパー上方に折り被せ、この時、ロープを底板背面から第一蓋板方向に引いて、二角に配置する。【選択図】図４
0003154306.tif 000002
【実用新案登録請求の範囲】
【請求項１】
文献ファイル構造であって、
周辺の所定位置に複数の第一穿孔を形成し、かつ、一側に可動の第一折板を延伸し、前記第一折板の側辺に第一蓋板を延伸する底板と、
周辺の所定位置に、ロープが通過し、前記第一穿孔と連接する複数の第二穿孔を形成するストッパーと、
弾性を有し、前記底板と前記ストッパーの穿孔を通過し、両端が連結処理されるロープと、
からなることを特徴とする文献ファイル構造。
【請求項２】
前記底板は、更に、一側に、前記第一折板と対応する第二折板を延伸してなることを特徴とする請求項１に記載の文献ファイル構造。  
【請求項３】
前記第二折板は、前記第一蓋板と重畳する第二蓋板を延伸してなることを特徴とする請求項２に記載の文献ファイル構造。
【請求項４】
前記ストッパーは、前記ロープの引く力を受けて、前記底板に接近してなることを特徴とする請求項１に記載の文献ファイル構造。  
【請求項５】
前記ストッパーの一側辺は傾斜板を延伸し、前記ストッパーと前記傾斜板は折り線処理されてなることを特徴とする請求項4に記載の文献ファイル構造。
【考案の詳細な説明】
【技術分野】
【０００１】
本考案は、文献ファイル構造に関するものであって、特に、用紙を収納し、用紙位置を固定する文献ファイル構造に関するものである。
【背景技術】
【０００２】
公知の文献ファイルは、横板の内板面にクリップを設置して、用紙を挟むものである。しかし、用紙を挟むには、まず、用紙に穴を開ける必要がある。また、この種のファイルは、注意せずに開くと、文献が落ちて、汚損したり、損傷するおそれがある。
【０００３】
かかる事情において、例えば、書類等の薄い収納物を複数のポケットホルダーと共に溶着される表紙シートからなる書類用ファイルが提案されている。
【０００４】
かかる書類用ファイルによれば、収納する書類に穴をあける必要がないが、ポケットホルダーは袋状のものであり、その上辺及び一側辺に設けたＬ字状開口部を設けてあり、これを開いて書類が収納されるが、締め付け手段が設けられていないので、書類用ファイルの持ち運びの際及び携帯するような場合に、書類の脱落等のおそれがある。
【０００５】
従って、かかる状況下において、文献に穴を開けず、文献の完全性が維持され、かつ、文献の収納操作が容易であり、収納した文献が脱落することがなく、また、文献ファイルに外力が加えられても、文献が損傷を受けることがない構造の文献ファイルの開発が切望されてきた。
【考案の開示】
【考案が解決しようとする課題】
【０００６】
従って、本考案の課題は、文献のとじ込みの際に用紙に穿孔するなどの煩雑さ及びファイルを開く際の文献の脱落という上述の問題を改善する文献ファイル構造を提供することにある。
【課題を解決するための手段】
【０００７】
そこで、本考案者は、前記課題を解決するため鋭意検討を重ねた結果、底板とストッパーとロープとからなる文献ファイルであって、
前記底板が、その周辺の所定位置に複数の穿孔を設けたものであり、かつ一側に可動の折板を延伸させ、その折板の側辺に蓋板を延伸させたものであり、
前記ストッパーが、その周辺の所定位置にロープが通過し、前記底板の穿孔と連接する穿孔を設けたものであり、
前記ロープが弾性を有し、前記底板と前記ストッパーの穿孔を通過し、両端が連結処理されたものとすることにより、前記課題を解決できることを見い出し、これらの知見に基いて本考案の完成に到達した。
【０００８】
かくして本発明によれば、
文献ファイル構造であって、
周辺の所定位置に複数の第一穿孔を形成し、且つ、一側に可動の第一折板を延伸し、前記第一折板の側辺に第一蓋板を延伸する底板と、
周辺の所定位置に、ロープが通過し、前記第一穿孔と連接する複数の第二穿孔を形成するストッパーと、
弾性を有し、前記底板と前記ストッパーの穿孔を通過し、両端が連結処理されるロープと、
からなることを特徴とする文献ファイル構造
が提供される。
【０００９】
本発明は、前記の通りの構成からなる文献ファイル構造に関するものであるが、さらに好ましい実施の態様として次の１）〜４）に掲げるものを包含する。
１）前記底板は、更に、一側に、前記第一折板と対応する第二折板を延伸してなる前記文献ファイル構造。  
２）前記第二折板は、前記第一蓋板と重畳する第二蓋板を延伸してなる前記文献ファイル構造。
３）前記ストッパーは、前記ロープの引く力を受けて、前記底板に接近してなる前記文献ファイル構造。  
４）前記ストッパーの一側辺は傾斜板を延伸し、前記ストッパーと前記傾斜板は折り線処理されてなる前記文献ファイル構造。
【考案の効果】
【００１０】
本考案の文献ファイルは、以下のような長所がある。
１．文献ファイル内部に収納された用紙が脱落しない。
２．文献ファイル内部の文献が圧力を受けたり、携帯時に損壊するのを防止する。
３．文献ファイルの構造が簡単で、材質がエコロジーであり、製造コストを減少させることができる。
４．文献ファイルに収納する文献に穴を開けなくてもよいので、文献の完全性が維持される。
５．文献ファイルのストッパーと傾斜板間に折り線処理を施して、傾斜板を若干上昇させるので、文献が入れやすい。
【図面の簡単な説明】
【００１１】
【図１】本考案の文献ファイルを例示する立体斜視図である。
【図２】本考案の文献ファイルを開いた状態を例示する立体斜視図である。
【図３】本考案の文献ファイルのロープ通過動作を例示する斜視図である。
【図３Ａ】本考案の文献ファイルのロープ通過動作を例示する斜視図である。
【図４】本考案の文献ファイルの使用状態を例示する斜視図である。
【図４Ａ】本考案の文献ファイルのストッパーの構造を例示する平面図である。
【図５】本考案の文献ファイルの第二実施例を示す斜視図である。
【図６Ａ】本考案の文献ファイルの第三実施例による箱体を開いた状態を示す斜視図である。
【図６Ｂ】本考案の文献ファイルの第三実施例による箱体を閉じた状態を示す斜視図である。
【考案を実施するための最良の形態】
【００１２】
次に、本考案に係る文献ファイルについて、詳細に説明する。
【００１３】
本考案の文献ファイル構造は、底板、第一蓋板、および、ストッパーからなる。文献をストッパーと底板間に置いて、第一蓋板をストッパー上方に覆い被せ、この時、ロープを底板背面から第一蓋板方向に引くと共に、二角に配置して、第一蓋板位置を固定し、ストッパーを締めて、ストッパーにより文献を底板上に定位させる。
【００１４】
また、本考案の文献ファイルは、底板が第一蓋板を延伸するので、第一蓋板がファイルを覆い、更に、ロープにより底板から、前方向に引いて、第一蓋板を固定し、携帯時に、第一蓋体が開いても、内部の用紙が脱落しない。
【００１５】
本考案の文献ファイルは、内部の文献が圧力を受けたり、携帯時に損壊するのを防止することができる。
【００１６】
本考案の文献ファイルは、構造が簡単で、エコロジー材質であり、製造コストを減少させることができる。
【００１７】
本考案の文献ファイルは、文献に穴を開けなくてもよいので、文献の完全性が維持される。
【００１８】
本考案の文献ファイルは、ストッパーと傾斜板間に折り線処理を施して、傾斜板を若干上昇させるので、文献が入れやすい。
【実施例】
【００１９】
以下、実施例により本考案について、さらに具体的に説明する。もっとも、本考案は、実施例等により限定されるものではない。
【００２０】
図１、図２は、本考案の文献ファイル構造を示す斜視図である。文献ファイル３は、底板３０、第一蓋板３２、及び、ストッパー３４、からなる。底板３０周辺の所定位置に、複数の第一穿孔３０２を形成する。ストッパー３４周辺の所定位置にも、複数の第二穿孔３４２を形成する。ロープ４が、第一穿孔３０２と第二穿孔３４２を通過して、ストッパー３４がロープ４の引く力を受けて、底板３０方向に接近する。また、底板３０一側は、可動の第一折板３１を延伸しており、第一折板３１の底板３０に相対する側辺に、第一蓋板３２を延伸する。ストッパー３４はロープ４が通過し、外側辺が傾斜板３４５を延伸し、ストッパー３４と傾斜板３４５は、折り線３４４で処理する。
【００２１】
本考案の使用動作については、図３、図３Aを参照して説明する。ストッパー３４を底板３０上に置き、ロープ４の一端を、底板３０上の第一穿孔３０２から、ストッパー３４外側に通過させ、更に、他の第一穿孔３０２から内側に通過して、ストッパー３４上の第二穿孔３４２を通過させる。故に、生産者は、異なる繞設方式に従って、ストッパー３４を、ロープ４の牽制力により、底板３０上に定位し、繞設後のロープ４先端を連結して（両者を結ぶ）、ロープ４が脱落して、文献ファイル３構造全体が緩むのを防止する。
【００２２】
図４、図４Aを参照すると、ストッパー３４と底板３０の間の空間に、使用者が挟みたい文献５を入れることができる。文献５を入れるとき、ストッパー３４は傾斜板３４５を延伸しているので、ストッパー３４と傾斜板３４５間に、折り線３４４を処理を施し、傾斜板３４５を若干上昇させ、これにより、文献５をストッパー３４下方に入れるのが更に容易になる。文献５の収納後、第一蓋板３２を、第一折板３１により、ストッパー３４上方に折り被せ、その後、底板３０後方のロープ４を第一蓋板３２方向に引く。ロープ４が外力の引く力を受け、ストッパー３４も同時に引く力を受けて、底板３０方向に圧力が施加され、ストッパー３４下に位置する文献５が固定される。ロープ４が底板３０背面から第一蓋板３２方向に引かれると共に、二角に配置されるので、第一蓋板３２位置を固定することができるだけでなく、同時に、ストッパー３４を締めて、ストッパー３４により文献５を底板３０上に定位させて、文献を固定し、且つ、文献が損壊するのを防止する。また、第一蓋板３２面積は底板３０と同一のため、外観が整い、かつ、効果的に内部の文献を保護することができる。
【００２３】
実施例２
図５は本考案の第二実施例を示す斜視図である。同図から分かるように、底板３０ａは、更に、一側に、第一折板３１ａと対応する第二折板３５ａを延伸しており、第二折板３５ａは、第一蓋板３２ａに重畳する第二蓋板３６ａを延伸している。第一蓋板３２ａと第二蓋板３６ａの設計により、雑多な文献５ａが整頓よく収容され、文献５ａに対する固定効果を増加することができる。
【００２４】
実施例３
図６A、図６Bは本考案の第三実施例を示す斜視図である。
【００２５】
本考案は、箱体３７の構造内に、本考案のストッパー３４を設置したものである。第一蓋板３２を箱体３７に覆い被せた後、ロープ４が箱体３７底面から第一蓋板３２方向に引かれて、二角に配置されるので、同じように、文献の固定効果を奏することができる。
【００２６】
本考案では好ましい実施例を前述の通り開示したが、これらは決して本考案を限定するものではなく、当該技術を熟知する当業者にとっては、本考案の技術的思想と領域を逸脱しない範囲内で各種の変更を加えることができ、従って本考案の保護範囲は、実用新案登録請求の範囲に基いて定められることは明らかである。
【産業上の利用可能性】
【００２７】
本考案は、以上説明した通りの構成からなる文献ファイルを提供するものであり、情報の収集、保管が必要なあらゆる分野で利用可能であり、産業上の利用価値は高い。
【符号の説明】
【００２８】
３                    文献ファイル
３０、３０ａ          底板
３０２                第一穿孔
３１、３１ａ          第一折板
３２、３２ａ、３２ｂ  第一蓋板
３４                  ストッパー
３４２                第二穿孔
３４４                折り線
３４５                傾斜板
３５ａ                第二折板３６ａ                第二蓋板
３７                  箱体
４                    ロープ
【図１】
0003154306.tif 000003
【図２】
0003154306.tif 000004
【図３】
0003154306.tif 000005
【図３Ａ】
0003154306.tif 000006
【図４】
0003154306.tif 000007
【図４Ａ】
0003154306.tif 000008
【図５】
0003154306.tif 000009
【図６Ａ】
0003154306.tif 000010
【図６Ｂ】
0003154306.tif 000011
【手続補正書】
【提出日】平成21年8月14日(2009.8.14)
【手続補正１】
【補正対象書類名】明細書
【補正対象項目名】０００８
【補正方法】変更
【補正の内容】
【０００８】
かくして本考案によれば、
文献ファイル構造であって、
周辺の所定位置に複数の第一穿孔を形成し、且つ、一側に可動の第一折板を延伸し、前記第一折板の側辺に第一蓋板を延伸する底板と、
周辺の所定位置に、ロープが通過し、前記第一穿孔と連接する複数の第二穿孔を形成するストッパーと、
弾性を有し、前記底板と前記ストッパーの穿孔を通過し、両端が連結処理されるロープと、
からなることを特徴とする文献ファイル構造
が提供される。
【手続補正２】
【補正対象書類名】明細書
【補正対象項目名】０００９
【補正方法】変更
【補正の内容】
【０００９】
本考案は、前記の通りの構成からなる文献ファイル構造に関するものであるが、さらに好ましい実施の態様として次の１）〜４）に掲げるものを包含する。
１）前記底板は、更に、一側に、前記第一折板と対応する第二折板を延伸してなる前記文献ファイル構造。  
２）前記第二折板は、前記第一蓋板と重畳する第二蓋板を延伸してなる前記文献ファイル構造。
３）前記ストッパーは、前記ロープの引く力を受けて、前記底板に接近してなる前記文献ファイル構造。  
４）前記ストッパーの一側辺は傾斜板を延伸し、前記ストッパーと前記傾斜板は折り線処理されてなる前記文献ファイル構造。